(57)【要約】【課題】  フロントパネルとトップカバーとを隙間なく安定した状態で結合する。組立時に、合成樹脂成形体でなるフロントパネルの一部を撓み変形させるという動作を伴わない筐体を提供する。【解決手段】  フロントパネル１の上板部１３とトップカバー７の板金製の天板部７１とを結合する結合手段が、天板部７１側の嵌合片７４とフロントパネル１側の凹入部２１と嵌合片支え部２２と当り部１５と受け部２３とでなる支持結合機構Ａと、天板部７１側の脚片７５とフロントパネル１側のスライド面４２とでなる支持機構Ｂと、ねじ止め機構Ｃとを備える。スライド面４２で脚片７５の摺動部７７をスライドさせながらトップカバー７をフロントパネル１に後方から近付けていく組立て動作を通じて嵌合片７４が凹入部２１に上方から嵌合する。【選択図】        図５
2005294728.tif 000002
【特許請求の範囲】
【請求項１】
内部に電気電子機器要素を収容する前面開放の筐体本体とこの筐体本体の前端部に装着される合成樹脂成形体でなるフロントパネルとに分割されていて、フロントパネルの上板部と筐体本体の板金製の天板部とが突き合わされた状態で結合手段を介して結合されている電気電子機器筐体において、
上記結合手段が、
上記天板部の幅方向両端部のそれぞれの前端に下向きに曲成された左右一対の嵌合片と、上記フロントパネルの幅方向両端部のそれぞれに一体成形されて前後方向に延びる左右一対の第１リブにそれぞれ具備されて一対の上記嵌合片が各別に上下方向で嵌脱可能な凹入部と、これらの各凹入部の下側端面に具備されてその凹入部に嵌合された上記嵌合片を支える嵌合片支え部と、これらの各凹入部の垂直な後側端面により形成されて上記上板部の後端に形成された当り部と共働してその凹入部に嵌合された上記嵌合片を前後方向でがたつきなく挾み付ける受け部とでなる支持結合機構と、
上記嵌合片の形成箇所よりも幅方向中央寄りの箇所で上記天板部に下向きに曲成されて下端に摺動部を備える脚片と、上記フロントパネルに一体成形されて前後方向に延びる第２リブに具備されて上記脚片を支える脚片支え部を有するスライド面とでなる支持機構と、
上記支持結合機構及び上記支持機構のそれぞれの設置箇所よりも下部で上記筐体本体と上記フロントパネルとを上下方向でがたつきなく結合するねじ止め機構と、を備え、
上記嵌合片と上記脚片とが、上記天板部の前端に下向きに曲成されてその天板部の略全幅に亘る折曲片の異なる箇所に区画形成され、それらの嵌合片と脚片との高さ寸法が同一に定められていることにより、上記支持機構の脚片支え部が脚片を支え、かつ、上記支持嵌合機構の嵌合片支え部が嵌合片を支えているときに上記天板部が上記上板部と平行に配備されるようになっていると共に、上記支持機構のスライド面が脚片支え部から後方へ延び出ており、
上記嵌合片が下端に前向きに突き出た摺動片を有しているのに対し、上記スライド面で上記脚片の摺動部をスライドさせながら筐体本体をフロントパネルに後方から近付けていく組立て動作を通じて上記天板部を反り変形させつつ上記摺動片を前方へ案内して上記上板部の下側へ導入する前上がり勾配を持つガイド面が上記第１リブに備わり、そのガイド面を乗り越えた上記摺動片が上記凹入部に落ち込む動作を介して上記嵌合片が上記凹入部に嵌合して上記嵌合片支え部で支えられるようになっており、
上記第１リブは、上記ガイド面が上記摺動片を前方へ案内するときにその摺動片に押されて下方へ撓み変形しない大きさの剛性を有し、
上記筐体本体が、ボトムケースと、嵌合片と上記脚片と上記ねじ止め機構のねじ挿通孔とを備えるトップカバーとに分割されている、
ことを特徴とする電気電子機器筐体。
【請求項２】
内部に電気電子機器要素を収容する前面開放の筐体本体とこの筐体本体の前端部に装着される合成樹脂成形体でなるフロントパネルとに分割されていて、フロントパネルの上板部と筐体本体の板金製の天板部とが突き合わされた状態で結合手段を介して結合されている電気電子機器筐体において、
上記結合手段が、
上記天板部の前端に下向きに曲成された嵌合片と、上記フロントパネルに一体成形されて前後方向に延びる第１リブに具備されて上記嵌合片が上下方向で嵌脱可能な凹入部と、この凹入部の下側端面に具備されてその凹入部に嵌合された上記嵌合片を支える嵌合片支え部と、この凹入部の垂直な後側端面に具備されて上記上板部の後端に形成された当り部と共働してその凹入部に嵌合された上記嵌合片を前後方向でがたつきなく挾み付ける受け部とでなる支持結合機構と、
上記嵌合片の形成箇所よりも幅方向中央寄りの箇所で上記天板部に下向きに曲成されて下端に摺動部を備える脚片と、上記フロントパネルに一体成形されて前後方向に延びる第２リブに具備されて上記脚片を支える脚片支え部を有するスライド面とでなる支持機構と、
上記支持結合機構及び上記支持機構のそれぞれの設置箇所よりも下部で上記筐体本体と上記フロントパネルとを上下方向でがたつきなく結合するねじ止め機構と、
を備えていることを特徴とする電気電子機器筐体。
【請求項３】
上記支持機構の脚片支え部が脚片を支え、かつ、上記支持嵌合機構の嵌合片支え部が嵌合片を支えているときに上記天板部が上記上板部と平行に配備されるようになっていると共に、上記支持機構のスライド面が脚片支え部から後方へ延び出ており、
上記嵌合片が下端に前向きに突き出た摺動片を有しているのに対し、上記スライド面で上記脚片の摺動部をスライドさせながら筐体本体をフロントパネルに後方から近付けていく組立て動作を通じて上記天板部を反り変形させつつ上記摺動片を前方へ案内して上記上板部の下側へ導入する前上がり勾配を持つガイド面が上記第１リブに備わり、そのガイド面を乗り越えた上記摺動片が上記凹入部に落ち込む動作を介して上記嵌合片が上記凹入部に嵌合して上記嵌合片支え部で支えられるようになっている請求項２に記載した電気電子機器筐体。
【請求項４】
上記嵌合片と上記脚片とが、上記天板部の前端に下向きに曲成されてその天板部の略全幅に亘る折曲片の異なる箇所に区画形成され、それらの嵌合片と脚片との高さ寸法が同一に定められている請求項２又は請求項３に記載した電気電子機器筐体。
【請求項５】
上記第１リブは、上記ガイド面が上記摺動片を前方へ案内するときにその摺動片に押されて下方へ撓み変形しない大きさの剛性を有している請求項２ないし請求項４のいずれか１項に記載した電気電子機器筐体。
【発明の詳細な説明】
【技術分野】
【０００１】
本発明は、電気電子機器筐体、詳しくは、合成樹脂成形体でなるフロントカバーと、板金製の天板部を有する筐体本体とを突合せ状に結合することによって形成される電気電子機器筐体に関する。
【背景技術】
【０００２】
フロントパネルと筐体の天板部との突合せ箇所を結合するための技術は、従来より種々提案されている（たとえば特許文献１、特許文献２、特許文献３、特許文献４参照）。
【０００３】
このうち、特許文献１によって提案されている技術は、本体シャーシにフックを介して係合させたフロントパネルに、トップカバーの前端に段付状に突出させたリブを前向きに差し込むと共に、そのトップカバーの後部を上記本体シャーシにビス止めするというものである。
【０００４】
特許文献２に記載されている技術は、前面パネルの固定用フックの下側にその固定用フックを弾性変形させて撓ませながら電子機器本体に設けた係合爪を差し込むと共に、固定用フックの復帰変形を通じて係合爪に係合させることにより、前面パネルと電子機器本体とを結合するというものである。
【０００５】
特許文献３に記載されている技術は、フロントパネルの上面と受け耳部とによりトップカバーの舌部などを上下方向で挟み、かつ、フロントカバーの受け耳部の孔にトップカバーの係合突起を嵌合させることによって、フロントパネルの上面とトップカバーとの相対的な位置ずれを抑制するというものである。また、この技術は、カバーの舌部をフロントパネルの上面と受け耳部とにより挟ませるときに、カバーを斜めに傾斜させてその舌部をフロントパネルの上面と受け耳部との間に差し込み、傾斜しているカバーを水平に姿勢変更する動作を通じてフロントカバーの受け耳部の孔にトップカバーの係合突起を嵌合させるというものである。
【０００６】
特許文献４に記載されている技術は、前面パネルに具備させたリブの傾斜した溝の中に、上面パネルの前端に具備させたＬ字形片部を嵌合させ、そのＬ字形片部の先端とコーナ部とを上記リブの傾斜した溝に備わっている傾斜面と水平面とによって挟むことによって前面パネルと上面パネルとの相対的な位置ずれを抑制するというものである。
【特許文献１】特開平３−９５９９３号公報（第１図）
【特許文献２】特開平１１−１２１９３７号公報
【特許文献３】特開平９−２６０８５７号公報
【特許文献４】実開昭６０−１９４３８５号公報
【発明の開示】
【発明が解決しようとする課題】
【０００７】
しかしながら、特許文献１に記載の技術では、フロントパネルとトップカバーとが直接的には結合されず、それらが本体シャーシを介して結合されているに過ぎない。また、フロントパネルと本体シャーシとは、フロントパネルのロック部品のツメ部を本体シャーシの係合させることにより結合されているけれども、そのロック部品のツメ部には傾斜面が備わっていて、フロントパネルを本体シャーシ側に押圧するとツメ部の傾斜面が本体シャーシに乗り上がって係合が解除される構成になっている。そのため、外力が加えられたときにフロントパネルとトップカバーとの突合せ箇所に隙間が生じたり突合せ箇所が離脱したりすることを確実に防ぐことができない。
【０００８】
特許文献２に記載の技術は、前面パネルの固定用フックに電子機器本体の係合爪を差し込むときに固定用フックを弾性変形させて撓ませ、その後に固定用フックを復帰変形させて係合爪に係合させるというものであるので、固定用フックと係合爪との係合箇所に隙間が必然的に形成され、そのような隙間を皆無にすることは不可能である。そのため、固定用フックと係合爪とを係合させた後では、前面パネルと電子機器本体との間にその隙間に見合うがたつきが必ず発生し、そのために、前面パネルと電子機器本体との突合せ箇所に隙間が発生して外観上の見栄えが低下するおそれがある。また、固定用フックが撓むときに、その固定用フックに無理な力が加わって固定用フックが破断したりするおそれもある。
【０００９】
特許文献３に記載の技術は、カバーを斜めに傾斜させてその舌部をフロントパネルの上面と受け耳部との間に差し込んだ後、傾斜しているカバーを水平に姿勢変更する動作を通じてフロントカバーの受け耳部の孔にトップカバーの係合突起を嵌合させるというものであるので、受け耳部の孔に係合突起が嵌合した後では、その嵌合箇所に隙間が必然的に形成され、そのような隙間を皆無にすることは不可能である。そのため、受け耳部の孔に係合突起が嵌合した後では、フロントカバーとトップカバーとの間にその隙間に見合うがたつきが必ず発生し、そのために、フロントカバーとトップカバーとの突合せ箇所に隙間が発生して外観上の見栄えが低下するおそれがある。
【００１０】
特許文献４に記載されている技術は、上面パネルのＬ字形片部の先端とコーナ部とを前面パネルのリブの傾斜した溝に備わっている傾斜面と水平面とによって挟むことによって前面パネルと上面パネルとの相対的な位置ずれを抑制しているに過ぎないので、上面パネルと前面パネルとを引き離す方向の外力が加えられたときには、上面パネルのＬ字形片部が上記傾斜面を滑って上面パネルと前面パネルとが引き離され、上面パネルと前面パネルとの突合せ箇所に隙間が生じで外観上の見栄えが低下するおそれがある。
【００１１】
以上説明したように、上掲の各特許文献に記載されている技術を適用して電気電子機器筐体のフロントパネルと筐体本体とを結合すると、それら両者の突合せ箇所の結合状態が不安定になってがたつきを生じたり、フロントパネルと筐体本体とが上下方向又は前後方向に相対的に位置ずれしてその突合せ箇所に隙間が生じて外観上の見栄えが低下したりする。また、特許文献２に記載されているもののように、組立時に合成樹脂成形体でなるフロントパネルの固定用フックを撓ませるようにしたものでは、その固定用フックに無理な力が加わって破断するおそれがある。
【００１２】
本発明は以上の状況の下でなされたものである。すなわち、本発明は、合成樹脂成形体によって形成されたフロントパネルの一部を弾性変形させて撓ませるという状況を生じさせずに両者の突合せ箇所を結合することができるというだけでなく、両者を結合した後では、その突合せ箇所の結合状態が安定してフロントパネルと筐体本体との位置ずれが確実に防止されてその結合箇所にがたつきが生じなくなり、しかも、両者の突合せ箇所に隙間が生じなくなる電気電子機器筐体を提供することを目的とする。
【００１３】
また、本発明は、組立時に、フロントパネルの後方から筐体本体を前方にまっすぐに近付けていくという動作を行うだけで両者の突合せ箇所を確実に結合することができるようにすることによって、必ずしも筐体本体を斜めに傾斜させてフロントパネルに対して組み付けるという動作を行う必要をなくすることのできる電気電子機器筐体を提供することを目的とする。
【課題を解決するための手段】
【００１４】
本発明に係る電気電子機器筐体は、内部に電気電子機器要素を収容する前面開放の筐体本体とこの筐体本体の前端部に装着される合成樹脂成形体でなるフロントパネルとに分割されていて、フロントパネルの上板部と筐体本体の板金製の天板部とが突き合わされた状態で結合手段を介して結合されている。そして、上記結合手段が、支持結合機構と支持機構とねじ止め機構とを備えている。
【００１５】
本発明において、支持結合機構は、上記天板部の前端に下向きに曲成された嵌合片と、上記フロントパネルに一体成形されて前後方向に延びる第１リブに具備されて上記嵌合片が上下方向で嵌脱可能な凹入部と、この凹入部の下側端面に具備されてその凹入部に嵌合された上記嵌合片を支える嵌合片支え部と、この凹入部の垂直な後側端面に具備されて上記上板部の後端に形成された当り部と共働してその凹入部に嵌合された上記嵌合片を前後方向でがたつきなく挾み付ける受け部とでなる。上記支持機構は、上記嵌合片の形成箇所よりも幅方向中央寄りの箇所で上記天板部に下向きに曲成されて下端に摺動部を備える脚片と、上記フロントパネルに一体成形されて前後方向に延びる第２リブに具備されて上記脚片を支える脚片支え部を有するスライド面とでなる。上記ねじ止め機構は、上記支持結合機構及び上記支持機構のそれぞれの設置箇所よりも下部で上記筐体本体と上記フロントパネルとを上下方向でがたつきなく結合するようになっている。
【００１６】
この構成であれば、フロントパネル側に具備されている当り部と受け部との水平間隔（前後方向の間隔）の広さを、筐体本体側に具備されている下向きの嵌合片の肉厚寸法と同等に定めておくだけで、凹入部に上方から嵌合された嵌合片が当り部と受け部との共働によって前後方向でがたつきなく挾み付けられる。しかも、受け部を形成している凹入部の外側端面が垂直になっているので、フロントパネルと筐体本体とが引き離される方向の外力を受けても、嵌合片がその受け部と摺動して凹入部から抜け出るという事態が起こらない。そして、支持嵌合機構がこのような作用を発揮するために、フロントパネルと筐体本体とが前後方向に位置ずれして両者の突合せ箇所に隙間が生じるという事態が起こらなくなる。また、フロントパネルと筐体本体との上下方向に位置ずれがねじ止め機構によって阻止される。したがって、支持嵌合機構とねじ止め機構との作用によってフロントパネルと筐体本体との突合せ箇所に隙間が生じなくなる。しかも、嵌合片が上方から凹入部に嵌合されるようになっているので、組立時に合成樹脂成形体によって形成されたフロントパネルの一部を弾性変形させて撓ませるという状況を生じない。その結果、フロントパネルの一部に無理な力が加わってその箇所が破断するという事態の起こる余地がない。さらに、支持機構が筐体本体の天板部の撓み変形を防ぐことなどに役立つ。
【００１７】
本発明では、上記支持機構の脚片支え部が脚片を支え、かつ、上記支持嵌合機構の嵌合片支え部が嵌合片を支えているときに上記天板部が上記上板部と平行に配備されるようになっていると共に、上記支持機構のスライド面が脚片支え部から後方へ延び出ており、上記嵌合片が下端に前向きに突き出た摺動片を有しているのに対し、上記スライド面で上記脚片の摺動部をスライドさせながら筐体本体をフロントパネルに後方から近付けていく組立て動作を通じて上記天板部を反り変形させつつ上記摺動片を前方へ案内して上記上板部の下側へ導入する前上がり勾配を持つガイド面が上記第１リブに備わり、そのガイド面を乗り越えた上記摺動片が上記凹入部に落ち込む動作を介して上記嵌合片が上記凹入部に嵌合して上記嵌合片支え部で支えられるようになっている、という構成を採用することが可能である。
【００１８】
この構成であれば、組立時に、フロントパネルの後方から筐体本体を前方にまっすぐに近付けていくという動作を行うだけで両者の突合せ箇所を確実に結合することができるようになる。そのため、必ずしも筐体本体を斜めに傾斜させてフロントパネルに対して組み付けるという動作を行う必要がなくなる。
【００１９】
本発明では、上記嵌合片と上記脚片とが、上記天板部の前端に下向きに曲成されてその天板部の略全幅に亘る折曲片の異なる箇所に区画形成され、それらの嵌合片と脚片との高さ寸法が同一に定められていることが望ましい。これによれば、折曲片が天板部を補強するリブとして作用を発揮するだけでなく、その折曲片がフロントパネルの上板部の後端に突き合わされてフロントパネルと筐体本体との突合せ箇所の外観上の見栄えが良好に保たれる。
【００２０】
本発明では、上記第１リブは、上記ガイド面が上記摺動片を前方へ案内するときにその摺動片に押されて下方へ撓み変形しない大きさの剛性を有していることが望ましい。この構成てあれば、第１リブに無理な力が加わって破断するというような事態が起こらない。
【００２１】
本発明に係る電気電子機器筐体は次の構成を採用することによっていっそう具体化される。すなわち、内部に電気電子機器要素を収容する前面開放の筐体本体とこの筐体本体の前端部に装着される合成樹脂成形体でなるフロントパネルとに分割されていて、フロントパネルの上板部と筐体本体の板金製の天板部とが突き合わされた状態で結合されている電気電子機器筐体において、上記結合手段が、上記天板部の幅方向両端部のそれぞれの前端に下向きに曲成された左右一対の嵌合片と、上記フロントパネルの幅方向両端部のそれぞれに一体成形されて前後方向に延びる左右一対の第１リブにそれぞれ具備されて一対の上記嵌合片が各別に上下方向で嵌脱可能な凹入部と、これらの各凹入部の下側端面に具備されてその凹入部に嵌合された上記嵌合片を支える嵌合片支え部と、これらの各凹入部の垂直な後側端面により形成されて上記上板部の後端に形成された当り部と共働してその凹入部に嵌合された上記嵌合片を前後方向でがたつきなく挾み付ける受け部とでなる支持結合機構と、上記嵌合片の形成箇所よりも幅方向中央寄りの箇所で上記天板部に下向きに曲成されて下端に摺動部を備える脚片と、上記フロントパネルに一体成形されて前後方向に延びる第２リブに具備されて上記脚片を支える脚片支え部を有するスライド面とでなる支持機構と、上記支持結合機構及び上記支持機構のそれぞれの設置箇所よりも下部で上記筐体本体と上記フロントパネルとを上下方向でがたつきなく結合するねじ止め機構と、を備え、上記嵌合片と上記脚片とが、上記天板部の前端に下向きに曲成されてその天板部の略全幅に亘る折曲片の異なる箇所に区画形成され、それらの嵌合片と脚片との高さ寸法が同一に定められていることにより、上記支持機構の脚片支え部が脚片を支え、かつ、上記支持嵌合機構の嵌合片支え部が嵌合片を支えているときに上記天板部が上記上板部と平行に配備されるようになっていると共に、上記支持機構のスライド面が脚片支え部から後方へ延び出ており、上記嵌合片が下端に前向きに突き出た摺動片を有しているのに対し、上記スライド面で上記脚片の摺動部をスライドさせながら筐体本体をフロントパネルに後方から近付けていく組立て動作を通じて上記天板部を反り変形させつつ上記摺動片を前方へ案内して上記上板部の下側へ導入する前上がり勾配を持つガイド面が上記第１リブに備わり、そのガイド面を乗り越えた上記摺動片が上記凹入部に落ち込む動作を介して上記嵌合片が上記凹入部に嵌合して上記嵌合片支え部で支えられるようになっており、上記第１リブは、上記ガイド面が上記摺動片を前方へ案内するときにその摺動片に押されて下方へ撓み変形しない大きさの剛性を有し、上記筐体本体が、ボトムケースと、嵌合片と上記脚片と上記ねじ止め機構のねじ挿通孔とを備えるトップカバーとに分割されている、という構成を採用することによっていっそう具体化される。この発明の作用などは後述する実施形態を参照して詳述する。
【発明の効果】
【００２２】
以上のように、本発明に係る電気電子機器筐体は、フロントパネルと筐体本体との突合せ箇所が隙間を生じず、安定した状態で結合されているので、たとえば、フロントパネルを筐体本体から外そうとするような外力が加わっても突合せ箇所に隙間が生じて外観上の見栄えが低下したり、合成樹脂成形体でなるフロントパネルの一部が破断するという事態が起こらない。そのため、長期に亘って良好な外観が保たれ、耐久性に優れた電気電子機器筐体を提供することが可能になる。
【００２３】
また、本発明に係る電気電子機器筐体は、組立時に合成樹脂成形体でなるフロントパネルの一部を撓み変形させるという動作を伴わないので、無理な力を受けてフロントパネルの一部が破断するという事態の起こる余地がない。このことから、組立が容易になるという効果が奏される。
【００２４】
本発明に係る電気電子機器筐体は、ＤＶＤやＣＤドライブなどの電子機器筐体に好適に用い得るほか、スピーカボックスのようなオーディオ機器筐体などにも好適に用い得る。
【発明を実施するための最良の形態】
【００２５】
図１は本発明に係る電気電子機器筐体（以下「筐体」という）の一例であるＤＶＤ筐体を、トップカバー７を取り外して示した一部破断平面図である。図２はトップカバー７の部分平面図、図３は図２のトップカバー７の要部を拡大した概略斜視図である。さらに、図４はフロントパネル１の要部を拡大した概略斜視図、図５（Ａ）は図１のＶＡ−ＶＡ線に沿う部分の拡大断面図、同（Ｂ）は図５のＶＢ部拡大図、図６は図１のＶＩ−ＶＩ線に沿う部分の拡大断面図、図７は筐体の要部の側面図、図８は組立工程を説明するための部分断面図である。
【００２６】
この筐体は図１に示した合成樹脂成形体でなるフロントパネル１と図５（Ａ）（Ｂ）に示した筐体本体５とに分割され、筐体本体５がさらにボトムケース６と板金製のトップカバー７とに分割されている。
【００２７】
図１、図４、図５又は図６に示したように、フロントパネル１は、前壁１１の周囲から後方へ延び出た横長の囲壁１２を備え、その囲壁１２の上部によって形成されている上板部１３は、その裏面側複数箇所に位置する押さえ部としての線状の補強リブ１４や、その裏面側の幅方向両端部のそれぞれに位置する一対の垂直板片状の第１リブ２や、これらの第１リブ２の間に位置する水平板片状の第２リブ４などを備えていて、それらの各リブ１４、２，４はいずれも前後方向に長く延びている。
【００２８】
図１又は図５のように、第１リブ２は、フロントパネル１の上板部１３の後端よりも後方に突き出ていて、その第１リブ２に上向きに開放した凹入部２１が備わり、その凹入部２１の下側端面が嵌合片支え部２２とされ、その凹入部２１の垂直な後側端面が受け部２３として形成されている。そして、上板部１３の後端が当り部１５として形成されている。そして、図５（Ｂ）に示したように、当り部１５と受け部２３との水平間隔Ｈを後述する嵌合片７４の肉厚寸法と同等（設計上の公差を勘案した同一寸法）に定めてある。また、第１リブ２には、凹入部２１の形成箇所よりも後方部位の上端縁によって形成された前上がり勾配を持つガイド面２４が備わっていて、そのガイド面２４の頂部（第１リブの上端縁）と上板部１３との垂直間隔Ｔを後述する摺動片７６の肉厚寸法よりも短くない広さに定めてあると共に、凹入部２１の前後幅Ｄをその摺動片７６の突出長さよりも長く定めてある。
【００２９】
一方、図６に示したように、第２リブ４も上板部１３の後端よりも後方に突き出ていて、その第２リブ４と上板部１３との間には後向きに開放した凹所４１が形成されていて、その凹所４１を形作っている第２リブ４の上端面がスライド面４２として形成されている。そして、図５（Ａ）で判るように、第１リブ２の嵌合片支え部２２と第２リブ４のスライド面４２とが同一高さに位置している。また、図６に示したように、第２リブ４のスライド面４２の前端部が脚片支え部４３として形成されている。
【００３０】
さらに、図５（Ａ）のように、フロントパネル１の下部に後方に延び出た係合片１６が備わり、その係合片１６に係合孔部１７が形成されている。
【００３１】
次に、図２又は図３のように、筐体本体５を形成しているトップカバー７は、天板部７１と、その天板部７１の左右の各端部に曲成された側板部７２と、図示していな背板部とを備えている。天板部７１の前端には、下向きに直角に曲成された折曲片７３が天板部７１の略全幅に亘って連設されていて、この折曲片７３の左右の各端部の箇所が嵌合片７４として区画形成され、その嵌合片７４の形成箇所よりも幅方向中央寄りの箇所が脚片７５として形成されていて、この脚片７５の高さ寸法と上記嵌合片７４の高さ寸法とは同一になっている。そして、嵌合片７４が下端に前向きに突き出た摺動片７６を有しているのに対し、脚片７５が下端に前向きに突き出た突片でなる摺動部７７を有している。なお、折曲片７３の下端には、上記した摺動片７６や摺動部７７の形成箇所を除く箇所にそれらよりも少し前方に突き出たガイド片７８が曲成されている。さらに、図７に示したように、トップカバー７の左右の各側板部７２の下部にねじ挿通孔７９が開設されている。
【００３２】
なお、図１において、１００は電気電子要素の一例であるドライブユニットであり、このドライブユニット１００はボトムケース６に設置されている。
【００３３】
この実施形態において、筐体は、フロントパネル１とボトムケース６とを結合した後、フロントパネル１とトップケース７とを結合するという手順を経て組み立てられる。フロントパネル１とボトムケース６との結合箇所では、図５のように、ボトムケース６に形成されている係合爪６１を上記係合片１６の係合後部１７に係合させてある。なお、ボトムケース６には、図７に示したねじ挿通孔７７に対応するねじ孔６２が形成されている。
【００３４】
フロントパネル１とボトムケース６とは両者の突合せ箇所が結合される。すなわち、その突合せ箇所では、図５（Ａ）（Ｂ）のように、トップカバー７側の嵌合片７４がフロントパネル１側の凹入部２１に嵌合されていて、凹入部２１の嵌合片支え部２２に載架されている摺動片７６を介して嵌合片７４が嵌合片支え部２２によって支えられていると共に、フロントパネル１の上板部１３の後端の当り部１５と凹入部２１の受け部２３とによって嵌合片７４ががたつきなく挟み付けられている。この構成であると、フロントパネル１とトップカバー７とが突合せ箇所で隙間を生じず、しかも、前後方向に位置ずれしない状態に結合されるので、フロントパネル１が前方へ引張られたときのようにフロントパネル１をトップカバー７から外そうとするような外力が加わっても、突合せ箇所に隙間が生じて外観上の見栄えが低下したり、嵌合片７４が受け部２３と摺動して凹入部２１から抜け出るという事態が起こらず、さらに、合成樹脂成形体でなるフロントパネル１側のリブ２が撓んで破断するという事態も起こらない。また、図５（Ａ）又は図７のように、トップカバー７側のねじ挿通孔７９に挿通した取付ねじ６３を図５に示したようにボトムケース６側のねじ孔６２にねじ込んで締め付けることによって、ボトムケース６を介してトップカバー７がフロントパネル１に上下方向でがたつきなく結合されている。さらに、図６のように、脚片７５が摺動部７７を介して第２リブ４の脚片支え部４３によって支えられていることにより、天板部７１がその自重で撓み変形して下方に反るという事態が防止されている。
【００３５】
以上説明した筐体では、フロントパネル１の上板部１３とトップカバー７の天板部７１とが突き合わされた状態で結合されている。そして、結合手段には、図５（Ａ）（Ｂ）示されている嵌合片７４と凹入部２１と嵌合片支え部２２と当り部１５と受け部２３とを含む支持結合機構Ａと、図６に示されている脚片７５と脚片支え部４３を有するスライド面４２とを含む支持機構Ｂと、取付ねじ６３を備えるねじ止め機構Ｃとが含まれている。
【００３６】
次に、ボトムケース６が結合されたフロントパネル１にトップカバー７を突き合わせて結合する手順を説明する。
【００３７】
トップカバー７の両端を両手で持ち、図８のようにトップカバー７側の脚片７６（図６参照）の下端の摺動部７７を第２リブ４のスライド面４２（図６参照）に乗せ、かつ、嵌合片７４の下端の摺動片７６を第１リブ２のガイド面２４に乗せ、摺動部７７をスライド面４２（図６参照）上で摺動させながらフロントパネル１の後方からトップカバー７を前方にまっすぐに近付けていくという動作を行うと、天板部７１がわずかに反り変形を伴いつつ摺動片７６がガイド面２４を乗り上がっていき、その摺動片７６が上板部１３の下側へ導入される。そして、摺動片７６がガイド面２４を乗り越えると、天板部７１の弾性復帰作用により摺動片７６が凹入部２１に落ち込み、それによって嵌合片７４が凹入部２１に上方から嵌合して嵌合片支え部２２で支えられる。摺動片７６が凹入部２１に落ち込むことによって、天板部７１の反り変形が修復されてその天板部７１とフロントパネル１の上板部１３とが平行になり、突合せ箇所に体裁のよい外観が与えられる。
【００３８】
この実施形態では、図４のように第１リブ２は、その第１リブ２をフロントパネル１に連結している連結リブ２５よりも厚肉に形成されていて、そうすることによって第１リブ２に大きな剛性を付与してあると同時に、フロントパネル１の外面にヒケが発生することを防いでいる。このように第１リブ２に大きな剛性を付与しておくと、ガイド面２４が摺動片７６を前方へ案内するときにその摺動片７６に押されて第１リブ２が下方へ撓み変形するという事態が起こらなくなり、その結果として、第１リブ２が破断したり変形したりすることが防止される。
【００３９】
この実施形態では、嵌合片７４や脚片７５を、天板部７１の略全幅に亘る折曲片７３に区画形成した事例を説明したけれども、これらの嵌合片７４や脚片７５を折曲片７３から分割しておいてもよい。
【図面の簡単な説明】
【００４０】
【図１】本発明に係る電気電子機器筐体をトップカバーを取り外して示した一部破断平面図である。
【図２】トップカバーの部分平面図である。
【図３】図２のトップカバーの要部を拡大した概略斜視図である。
【図４】フロントパネルの要部を拡大した概略斜視図である。
【図５】（Ａ）は図１のＶＡ−ＶＡ線に沿う部分の拡大断面図、（Ｂ）は図５のＶＢ部拡大図である。
【図６】図１のＶＩ−ＶＩ線に沿う部分の拡大断面図である。
【図７】筐体の要部の側面図である。
【図８】組立工程を説明するための部分断面図である。
【符号の説明】
【００４１】
１  フロントパネル
２  第１リブ
４  第２リブ
５  筐体本体
６  ボトムケース
７  トップカバー
１３  上板部
１４  補強リブ（押さえ部）
１５  当り部
２１  凹入部
２２  嵌合片支え部
２３  受け部
２４  ガイド面
４２  スライド面
４３  脚片支え部
７１  天板部
７３  折曲片
７４  嵌合片
７５  脚片
７６  摺動片
７７  摺動部
７９  ねじ挿通孔
１００  ドライブユニット（電気電子機器要素）
Ａ  支持結合機構
Ｂ  支持機構
Ｃ  ねじ止め機構
【図１】
2005294728.tif 000003
【図２】
2005294728.tif 000004
【図３】
2005294728.tif 000005
【図４】
2005294728.tif 000006
【図５】
2005294728.tif 000007
【図６】
2005294728.tif 000008
【図７】
2005294728.tif 000009
【図８】
2005294728.tif 000010